(57)【要約】      （修正有）【課題】駆動モジュールが故障した時に、入力部を介して電気を発光素子に送ることにより発光させることができる、照明器具を提供する。【解決手段】駆動モジュール１４が正常に稼働している際に、照明器具１を操作したい場合は、電気供給端部１５が駆動モジュール１４を介して電源を発光素子１３に伝える。さらに、異なる発光を起こしたい時は、入力部１２に設けた外部装置２と発光素子１３を相互に連結させることにより、照明器具１の操作する。また、駆動モジュール１４が故障した時、入力部１２を介して外部装置２を連結することができ、それにより、外部装置２は、入力部１２を介して発光素子１３に電気を伝達して発光素子１３を発光させる。【選択図】図４
0003174500.tif 000002
【実用新案登録請求の範囲】
【請求項１】
ランプケースと、少なくとも一組の入力部と、発光素子と、駆動モジュールとからなる照明器具の構造であって、
前記ランプケース内には収容空間が形成され、
前記入力部は、前記ランプケースの一側に形成され、
前記発光素子は、前記収容空間内に設けられ、前記発光素子は、前記入力部に電気的に連結され、
前記駆動モジュールは、前記収容空間内に設けられ、前記駆動モジュールは、前記発光素子に電気的に連結されることを特徴とする、照明器具の構造。
【請求項２】
前記ランプケースの前記入力部は、差込間違い防止のポカヨケ構造を備え、前記ランプケース内の前記発光素子は、ＬＥＤランプであり、前記発光素子は、前記駆動モジュールを介して、前記ランプケースの一端に設けられた電気供給端部に電気的に連結され、前記ランプケースにおける前記電気供給端部の反対の端部には、ランプカバーが設けられることを特徴とする、請求項１に記載の照明器具の構造。
【考案の詳細な説明】
【技術分野】
【０００１】
本考案は照明器具の構造に関し、特に、少なくとも一組の入力部に外部装置を連結させることにより、照明器具を操作したり、変化を生じさせたりすることができるとともに、駆動モジュールが故障した時に、前記入力部を介して電気を発光素子に送ることにより、発光素子を発光させることができる照明器具の構造に関する。
【背景技術】
【０００２】
図１を参照する。図１は、従来の電球の構造を示した斜視図である。図から分かるように、従来の電球９は、発光ダイオード（ＬＥＤ）９１と駆動モジュール９２を非常に小さい位置に一緒に配置しなければならない。また、発光ダイオード（ＬＥＤ）９１と駆動モジュール９２はいずれも放熱する必要があるため、放熱できずに高温状態になると使用寿命を減らすことになる。一般的な使用について言うと、従来の電球９の発光ダイオード（ＬＥＤ）９１が故障することは少なく、ほとんどの場合、駆動モジュール９２が先に故障する。しかしながら、従来の電球９はモジュール化されてパッケージングされているため、それを開けて駆動モジュール９２をメンテナンスすることはできず、従来の電球９を破棄するしかなく、もったいない。
【考案の概要】
【考案が解決しようとする課題】
【０００３】
そこで、本考案は、駆動モジュールが故障した時に、入力部を介して電気を発光素子に送ることにより発光させることができる、照明器具の構造を提供することを目的とする。
【０００４】
また、本考案は、少なくとも一組の入力部に外部装置を連結することにより、照明器具を操作したり、異なる変化を生じさせたりすることができる照明器具の構造を提供することを目的とする。
【課題を解決するための手段】
【０００５】
上述の目的を達成するために、本考案はランプケースを備え、ランプケース内には収容空間が形成され、収容空間内には、発光素子と駆動モジュールが設けられ、駆動モジュールは発光素子に電気的に接続され、発光素子は、ランプケースの一側に形成された少なくとも一組の入力部に電気的に連結される。
【考案の効果】
【０００６】
駆動モジュールが故障した時、前記入力部に連結させた外部装置が、前記入力部を介して電気を発光素子に伝達することにより、本考案の電球を発光し使用することができる。上述の技術により、従来の電球に存在する駆動モジュールが故障した時に電球を捨てるしかなかった従来の電球の問題を解決し、駆動モジュールが故障しても前記入力部を介して電気を発光素子に伝達して発光させることができるという実用進歩性を達成することができる。
【図面の簡単な説明】
【０００７】
【図１】従来の電球の構造を示した斜視図である。
【図２】本考案の実施例１の構造を示した斜視図である。
【図３】本考案の実施例１の構造を示した分解斜視図である。
【図４】本考案の実施例１の動作を示した説明図である。
【図５】本考案の実施例１の一部を示した説明図である。
【図６】本考案の実施例２の構造を示した概略図である。
【考案を実施するための形態】
【０００８】
（実施例１）
図２と図３を参照する。図２は、本考案の実施例１の構造を示した斜視図であり、図３は、本考案の実施例１の構造を示した分解斜視図である。図から分かるように、本考案の照明器具１は、ＬＥＤ電球であり、本考案の照明器具１は、ランプケース１１を備える。ランプケース１１の一端にはランプカバー１６が設けられ、ランプケース１１におけるランプカバー１６と反対側の端部には電気供給端部１５が設けられ、ランプケース１１の一側には、少なくとも一組の入力部１２が設けられる。また、ランプケース１１内には、収容空間１１１が設けられる。その収容空間１１１内には、入力部１２と電気的に接続される発光素子１３が設けられ、発光素子１３は、収容空間１１１内に設けられた駆動モジュール１４に電気的に接続され、駆動モジュール１４は、電気供給端部１５に電気的に接続される。
【０００９】
上述の構造と組合せによる本考案を使用した時の作動状況について以下に説明を行う。図２から図４を同時に参照する。図２は、本考案の実施例１の構造を示した斜視図であり、図３は、本考案の実施例１の構造を示した分解斜視図であり、図４は、本考案の実施例１の動作を示した説明図である。図から分かるように、上述の駆動モジュール１４が故障した時、入力部１２を介して外部装置２を連結することができ、それにより、外部装置２は、入力部１２を介して発光素子１３に電気を伝達して発光素子１３を発光させる。また、駆動モジュール１４が正常に稼働している際に、照明器具１を操作、或いは、異なる変化を起こしたい場合は、電気供給端部１５が駆動モジュール１４を介して電源を発光素子１３に伝える以外に、入力部１２に設けた外部装置２と発光素子１３を相互に連結させることにより、照明器具１の操作する、或いは、異なる変化を生じさせることができる。なお、上述のＬＥＤ電球は、一実施形態にすぎず、その照明器具１の種類に制限は設けないものする。
【００１０】
図５を参照する。図５は、本考案の実施例１の一部を示した説明図である。図から分かるように、本考案の少なくとも一組の入力部１２は、差込間違いを防止するポカヨケ構造１２１を備えている。なお、ポカヨケ構造１２１は一実施形態にすぎず、そのポカヨケ構造１２１の種類に制限は設けないものとする。
【００１１】
（実施例２）
図６を参照する。図６は、本考案の実施例２の構造を示した概略図である。図から分かるように、本考案の照明器具１ａは、ＬＥＤ蛍光灯である。なお、ＬＥＤ蛍光灯は一実施形態にすぎず、その照明器具１ａの種類に制限は設けないものとする。
【００１２】
全ての図を参照する。本考案を使用すると、従来の技術と比較して、以下の利点が存在する。
【００１３】
１、入力部１２に結合された外部装置２により、駆動モジュール１４に故障が発生した時でも、発光素子１３を発光させることができるため、本考案の再利用性と実用進歩性は高い。
２、入力部１２に結合された外部装置２により、照明器具１を操作、或いは、異なる変化をもたせることができるという実用進歩性を備えている。
【符号の説明】
【００１４】
（従来技術）
９      電球
９１    発光ダイオード（ＬＥＤ）
９２    駆動モジュール
（本考案）
１、    １ａ  照明器具
１１      ランプケース
１１１    収容空間
１２      入力部
１２１    ポカヨケ構造
１３      発光素子
１４      駆動モジュール
１５      電気供給端部
１６      ランプカバー
２        外部装置
【図１】
0003174500.tif 000003
【図２】
0003174500.tif 000004
【図３】
0003174500.tif 000005
【図４】
0003174500.tif 000006
【図５】
0003174500.tif 000007
【図６】
0003174500.tif 000008